(57)【要約】【課題】大容量の記録媒体と、装置に対して着脱可能な記録媒体とを同時に扱うことが可能な記録再生装置により、ユーザが大容量記録媒体から着脱可能な記録媒体へ番組などのコンテンツの複製や移動する場合に、キーワードを入力することが省略可能となり、コンテンツの選択を容易に行うことができる画像記録再生装置を提供する。【解決手段】着脱可能な記録媒体２２に記録されている番組の情報を自動的に取得し、これを用いて、あるいはその情報に一定の条件を付加した後に大容量記憶媒体１６に記憶されている番組の情報を検索するように制御部１４が動作する。【選択図】図１
2008257816.tif 000002
【特許請求の範囲】
【請求項１】
比較的大容量の第１記録媒体と、
着脱可能であり比較的小容量の第２記録媒体に対して書込及び読出が可能なドライブ装置と、
前記第１記録媒体と前記ドライブ装置を制御して、必要なコンテンツをその関連情報と共に前記第１記録媒体と前記第２記録媒体の一方又は双方に記録したり、記録済みのコンテンツ及び前記関連情報を前記第１記録媒体と前記第２記録媒体の一方又は双方から再生したりするよう制御する制御手段とを有する記録再生装置において、
前記第１記録媒体と前記第２記録媒体に記録されている前記関連情報同士を比較する比較手段と、
前記関連情報同士が一致しているときは、前記関連情報同士が一致しているコンテンツであって、前記第１記録媒体に記録されているコンテンツを示す情報を表示する信号を生成する手段とを、
有することを特徴とする記録再生装置。
【請求項２】
比較的大容量の第１記録媒体と、
着脱可能であり比較的小容量の第２記録媒体に対して書込及び読出が可能なドライブ装置と、
前記第１記録媒体と前記ドライブ装置を制御して、必要なコンテンツをその関連情報と共に前記第１記録媒体と前記第２記録媒体の一方又は双方に記録したり、記録済みのコンテンツ及び前記関連情報を前記第１記録媒体と前記第２記録媒体の一方又は双方から再生したりするよう制御する制御手段とを有する記録再生装置において、
前記第１記録媒体と前記第２記録媒体に記録されている前記関連情報同士を比較する比較手段と、
前記関連情報同士が一致していないコンテンツがあるときは、前記関連情報同士が一致していないコンテンツであって、前記第１記録媒体に記録されているコンテンツを示す情報を表示する信号を生成する手段とを、
有することを特徴とする記録再生装置。
【請求項３】
前記関連情報として、前記コンテンツのタイトル名の全体、前記コンテンツのタイトル名の一部、前記コンテンツが放送番組である場合は、放送日、放送曜日、放送開始時刻、放送終了時刻、あるいは前記放送開始時刻又は放送終了時刻に関連する時刻の１つ又は２つ以上を用いることを特徴とする請求項１又は２に記載の記録再生装置。
【請求項４】
前記関連情報として、前記コンテンツが放送番組である場合は、前記第１記録媒体に記録されたコンテンツの放送開始時刻及び放送終了時刻により規定される放送時間帯が、前記第２記録媒体に記録されたコンテンツの放送開始時刻より所定時間前の時刻及び放送終了時刻より所定時間後の時刻により規定される拡大放送時間帯の中に含まれているか否かを判断する放送時間帯判断手段をさらに有することを特徴とする請求項３に記載の記録再生装置。
【発明の詳細な説明】
【技術分野】
【０００１】
本発明は、光ディスクなどのように記録再生装置に対して着脱可能な記録媒体と、ハードディスクなどのように記録再生装置に固定された大容量な記録媒体とを、同時に取り扱うことが可能な記録再生装置に関し、特に放送番組を録画した後のダビング時の番組選択機能の改良に関する。
【背景技術】
【０００２】
周知のように、近時では、例えばＤＶＤ（Ｄｉｇｉｔａｌ  Ｖｅｒｓａｔｉｌｅ  Ｄｉｓｃ）−ＲＡＭ（Ｒａｎｄｏｍ  Ａｃｃｅｓｓ  Ｍｅｍｏｒｙ）やＤＶＤ−ＲＷ（ＲｅＷｒｉｔａｂｌｅ）などの光ディスクのように、装置に対して着脱可能な記録媒体と、ハードディスクのように装置に内蔵され、記録再生速度が高速であり大容量の記録媒体とを、同時に取り扱うことを可能とした画像記録再生装置が開発されている。
【０００３】
例えば、このような画像記録再生装置において、記録された番組の情報を管理するために、ハードディスクや光ディスクへ記録される番組のタイトル名などの関連情報を一括で管理するライブラリを作成し、装置が内蔵するハードディスクへ保存することで、記録された番組を示す情報をユーザに一覧表示している。また、光ディスクへ記録された番組関連情報を、装置に内蔵されている記録媒体へライブラリとして保存することで、現在装着されていない光ディスクの番組情報もユーザに表示することが可能になっている。さらに、下記の特許文献１により開示されているように、ユーザに表示する番組情報は、記録されているすべての番組情報を表示するばかりではなく、ユーザがキーワードを入力することで、番組関連情報とキーワードとの一致を確認し、該当した番組を示す情報のみを表示する方法が提案されている。
【特許文献１】特開２００５−４９５９号公報（要約書）
【発明の開示】
【発明が解決しようとする課題】
【０００４】
このような画像記録再生装置で、比較的大容量のハードディスクから比較的小容量の光ディスクへ番組データを複製や移動する場合に、上記の方法によりハードディスクに記録されているすべての番組の一覧を表示することができるが、ハードディスクの大容量化により多数の番組が記録できるようになっており、すべての番組を示す情報の一覧からユーザが必要とする番組を選択することは困難になっている。またユーザにキーワードを入力させる番組検索機能を用いたとしても番組の複製や移動を行うごとにキーワードを入力する必要がある。また番組の放送開始が、他の番組の延長などで予定より遅延した場合には、放送時刻などをキーワードとして用いた場合に、その一致による検索が困難になる場合がある。
【０００５】
そこで本発明では、比較的大容量の記録媒体と、装置に対して着脱可能な比較的小容量の記録媒体とを同時に扱うことが可能な記録再生装置において、ユーザが大容量記録媒体から着脱可能な記録媒体へ番組などのコンテンツの複製や移動を行う場合に、キーワードを入力することが省略でき、コンテンツの選択を容易に行うことができる記録再生装置を提供することを目的とする。
【課題を解決するための手段】
【０００６】
上記目的を達成するため、本発明では、着脱可能な記録媒体に記録されている番組の情報を自動的に取得し、これを用いて、あるいはその情報に一定の条件を付加した後に大容量記憶媒体に記憶されている番組の関連情報を検索するようにしている。
【０００７】
すなわち本発明によれば、比較的大容量の第１記録媒体と、
着脱可能であり比較的小容量の第２記録媒体に対して書込及び読出が可能なドライブ装置と、
前記第１記録媒体と前記ドライブ装置を制御して、必要なコンテンツをその関連情報と共に前記第１記録媒体と前記第２記録媒体の一方又は双方に記録したり、記録済みのコンテンツ及び前記関連情報を前記第１記録媒体と前記第２記録媒体の一方又は双方から再生したりするよう制御する制御手段とを有する記録再生装置において、
前記第１記録媒体と前記第２記録媒体に記録されている前記関連情報同士を比較する比較手段と、
前記関連情報同士が一致しているときは、前記関連情報同士が一致しているコンテンツであって、前記第１記録媒体に記録されているコンテンツを示す情報を表示する信号を生成する手段とを、
有することを特徴とする記録再生装置が提供される。
【０００８】
また本発明によれば、比較的大容量の第１記録媒体と、
着脱可能であり比較的小容量の第２記録媒体に対して書込及び読出が可能なドライブ装置と、
前記第１記録媒体と前記ドライブ装置を制御して、必要なコンテンツをその関連情報と共に前記第１記録媒体と前記第２記録媒体の一方又は双方に記録したり、記録済みのコンテンツ及び前記関連情報を前記第１記録媒体と前記第２記録媒体の一方又は双方から再生したりするよう制御する制御手段とを有する記録再生装置において、
前記第１記録媒体と前記第２記録媒体に記録されている前記関連情報同士を比較する比較手段と、
前記関連情報同士が一致していないコンテンツがあるときは、前記関連情報同士が一致していないコンテンツであって、前記第１記録媒体に記録されているコンテンツを示す情報を表示する信号を生成する手段とを、
有することを特徴とする記録再生装置が提供される。
【０００９】
また、前記関連情報として、前記コンテンツのタイトル名の全体、前記コンテンツのタイトル名の一部、前記コンテンツが放送番組である場合は、放送日、放送曜日、放送開始時刻、放送終了時刻、あるいは前記放送開始時刻又は放送終了時刻に関連する時刻の１つ又は２つ以上を用いることは本発明の好ましい態様である。
【００１０】
また、前記関連情報として、前記コンテンツが放送番組である場合は、前記第１記録媒体に記録されたコンテンツの放送開始時刻及び放送終了時刻により規定される放送時間帯が、前記第２記録媒体に記録されたコンテンツの放送開始時刻より所定時間前の時刻及び放送終了時刻より所定時間後の時刻により規定される拡大放送時間帯の中に含まれているか否かを判断する放送時間帯判断手段をさらに有することは本発明の好ましい態様である。
【発明の効果】
【００１１】
本発明によれば、毎週放送される番組などのようなシリーズ番組を光ディスクのように着脱可能な記録媒体へ連続して記録する場合に、例えばシリーズものの番組の場合、その番組の一話（１回の放送）分のみ記録させておくことで、次回からは自動的にキーワードを抽出し、大容量記録媒体に記録されている、多数ある記録済み番組の中からユーザによるキーワードの入力の必要なく、自動抽出したキーワードと一致する番組を示す情報のみを表示し、ユーザが所望の番組を選択することが可能である。また、逆に、自動抽出したキーワードと一致しない番組を示す情報のみを表示し、ユーザが所望の番組を選択することも可能である。
【００１２】
また、ユーザが光ディスクに記録されたコンテンツのタイトル名を事後的に変更した場合でも、番組と一致する可能性の高い番組を検索して、そのタイトル名などをユーザに対し表示することができる。
【００１３】
これによりユーザは何度もキーワードを入力する必要がなく、また自動的に抽出したキーワードに完全に一致しないが、同じ番組の可能性の高い番組から所望の番組を選択することができるようになる。
【発明を実施するための最良の形態】
【００１４】
以下本発明の記録再生装置の好ましい実施の形態について添付図面を参照しながら説明する。図１は、本発明の記録再生装置の好ましい実施の形態である放送受信記録再生装置の構成を示すブロック図である。なお後述するように、本発明は記録再生装置に関するものであって、放送番組を記録再生するものに限らず、２つの記録媒体に記録が可能な記録再生装置に広く適用可能である。
【００１５】
図１の放送受信記録再生装置は、放送番組を受信する放送受信部１０と、放送受信部１０で受信した放送番組を記録するハードディスクなどの大容量番組保存部として機能する第１記録媒体１６と、光ディスクなどの着脱可能な第２記録媒体２２に対して情報を記録・再生する第２記録媒体ドライブ装置１８と、ユーザからの操作を受け付けるユーザ操作部１２と、ユーザへの表示を行うための表示信号を生成して出力する表示信号出力部２０と、これらの各部を制御したり、各部からの信号を適宜処理したりする制御部１４とを有している。制御部１４は、記録した番組に関する情報を管理する番組情報管理部１４Ａと、番組情報の表示を管理する表示管理部１４Ｂとを有している。制御部１４は、ＣＰＵ（中央演算処理装置）とＲＡＭやＲＯＭなどのメモリとインタフェースなどから構成することができる。その場合、ＲＯＭには、後述する各実施例を実現するための処理プログラムをあらかじめ記憶しておき、ＣＰＵが実行することにより所望の実施例を実現することができる。なお、第２記録媒体ドライブ装置１８は、光ディスク２２が記録媒体のときはドライブ装置の名称で差し支えないが、第２記録媒体２２としてＵＳＢメモリなどの半導体メモリやその他の静止型記録媒体を用いる場合は、これらの記録媒体の受け入れスロット並びにインタフェースなどを指すものとする。
【００１６】
図１の記録再生装置の基本的動作について説明する。まず、放送受信部１０は、衛星放送や地上デジタルテレビジョン放送などを受信して、受信した番組コンテンツとその関連情報、すなわちタイトル名、放送日、放送曜日、放送開始時刻、放送終了時刻、あるいは放送開始時刻又は放送終了時刻に関連する時刻などを示すデータを制御部１４へ送る。制御部１４は、ユーザ操作部１２で受け付けたユーザからの録画コマンドに応じて、放送受信部１０から入力される番組コンテンツのデータと上記関連情報のデータを第１記録媒体１６に記録する。
【００１７】
番組コンテンツの記録が終了した後、ユーザが第１記録媒体１６の記録コンテンツを第２記録媒体である光ディスク２２にダビングしようとすると、第１記録媒体１４と第２記録媒体２２の双方に記録されている関連情報を読み出し、比較手段として機能する番組情報管理部１４Ａにて相互に比較対照が行われる。この比較対照により、関連情報の一致、不一致が検出されるので、その結果に基づいて表示管理部１４Ｂは、表示すべきコンテンツのタイトルあるいはその関連情報を表示するために表示リストを作成する。表示信号出力部２０は、表示管理部１４Ｂで作成された表示リストを画像として表示するための表示信号を生成して出力する。すなわち、表示管理部１４Ｂと、表示信号出力部２０は、所定の条件を満足するコンテンツであって、第１記録媒体１６に記録されているコンテンツを示す情報を表示する信号としての表示信号を生成する手段を構成する。この表示信号は、図示省略のモニタに供給され、モニタ画面に文字情報やサムネイル画像などとして表示される。以下、好ましい実施の形態のいくつかの動作モードを実施例１〜実施例６として説明する。
【００１８】
なお上記実施の形態は、図１に示すように放送受信部１０を有しているが、放送受信部１０は本発明に必須のものではなく、外部のチューナで受信した放送コンテンツデータを入力するようにしてもよいし、放送番組に限らず、外部のＶＴＲやＤＶＤなどの再生装置で得られる過去の放送番組コンテンツや放送番組に限らず、放送によらない映画やドキュメンタリのコンテンツ、電子出版物のコンテンツ、その他のコンテンツなどを入力するようにしてもよい。なお、以下の実施例では、第１記録媒体１６としてハードディスク（ＨＤＤと記すこともある）が使用され、第２記録媒体２２として光ディスクが使用されているものとして説明するが、本発明の記録再生装置は、これらの特定の形式の記録媒体に限定されるものではない。
＜実施例１＞
【００１９】
実施例１を図２のフローチャートを用いて説明する。
ユーザがユーザ操作部１２を操作してＨＤＤ１６に記録済みの番組をディスクドライブ装置１８に装填された光ディスク２２に複製（ダビング）又は移動しようとすると、まず、光ディスク２２に記録されている番組のヘッダ情報から番組の関連情報の１つであるタイトル名を自動的に取得する（ステップＳ２１）。次にＨＤＤ１６に記録されている番組の関連情報の１つであるタイトル名を取得する（ステップＳ２２）。取得した関連情報のタイトル名同士を比較し、（ステップＳ２３）、タイトル名のすべて、又は前後に付加されている記号文字を除く部分、すなわちタイトルの一部が一致した番組で、ＨＤＤ１６に記録されている番組を示す情報の一覧を表示するための表示信号を生成して出力する（ステップＳ２４）。番組を示す情報の一覧としては、タイトル名をリストにしたものや、サムネイル画像を並べたものを用いることができる。ＨＤＤ１６に記録されているすべての番組の関連情報と、その比較が終了するまで以上を繰り返す（ステップＳ２５）。ユーザは、ユーザ操作部１２を操作して、表示された番組を示す情報の一覧から所望の番組を選択して複製、又は移動を実行する（ステップＳ２６）。
【００２０】
これにより光ディスク２２に記録されている番組と同じ番組の可能性があるＨＤＤ１６に記録されている番組を示す情報のみが、ユーザがキーワード入力をすることなくモニタ表示され、ユーザは表示された番組を示す情報から簡単に、所望の番組を選択し複製又は移動をすることが可能となる。
＜実施例２＞
【００２１】
実施例２を図３のフローチャートを用いて説明する。
実施例１同様に、ユーザがＨＤＤ１６に記録済みの番組をディスクドライブ装置１８に装填された光ディスク２２にダビングなどをしようとすると、まず、光ディスク２２に記録されている番組のヘッダ情報から番組の関連情報の１つである放送時刻（放送開始時刻及び／又は放送終了時刻）を自動的に取得する（ステップＳ３１）。次にＨＤＤ１６に記録されている番組の関連情報の１つである放送時刻（放送開始時刻及び／又は放送終了時刻）を取得する（ステップＳ３２）。取得した関連情報の放送時刻同士を比較し（ステップＳ３３）、一致した番組で、ＨＤＤ１６に記録されている番組を示す情報の一覧を表示するための表示信号を生成して出力する（ステップＳ３４）。表示方法は実施例１と同様である。ＨＤＤ１６に記録されているすべての番組の情報と比較するまで繰り返す（ステップＳ３５）。ユーザは、ユーザ操作部１２を操作して、表示された番組を示す情報の一覧から所望の番組を選択して複製、又は移動を実行する（ステップＳ３６）。
【００２２】
これにより光ディスク２２に記録されている番組と同じ番組の可能性があるＨＤＤ１６に記録されている番組を示す情報のみが、ユーザがキーワード入力をすることなく表示され、ユーザは、表示された番組を示す情報から、簡単に所望の番組を選択し複製又は移動をすることが可能となる。
＜実施例３＞
【００２３】
実施例３を図４のフローチャートを用いて説明する。
実施例１同様に、ユーザがＨＤＤ１６に記録済みの番組をディスクドライブ装置１８に装填された光ディスク２２にダビングなどをしようとすると、まず、光ディスク２２に記録されている番組のヘッダ情報から番組の関連情報の１つである放送時間帯（放送開始時刻と放送終了時刻により特定される）を自動的に取得する（ステップＳ４１）。次にＨＤＤ１６に記録されている番組の関連情報の１つである放送時間帯を取得する（ステップＳ４２）。取得したＨＤＤ１６の放送時間帯を、例えば開始時刻は、その１時間前に、終了時刻は、その１時間後のものとして計算する（ステップＳ４３）。計算後のＨＤＤ１６の放送時間帯（拡大放送時間帯）と光ディスクから取得した放送時間帯を比較（ステップＳ４４）し、光ディスクの放送時間帯が計算して得られたＨＤＤ１６の放送時間帯に含まれる番組を示す情報の一覧を表示するための表示信号を生成して出力する（ステップＳ４５）。表示方法は実施例１と同様である。ＨＤＤ１６に記録されているすべての番組の情報と比較するまで繰り返す（ステップＳ４６）。ユーザは、ユーザ操作部１２を操作して、表示された番組を示す情報の一覧から所望の番組を選択して複製、又は移動を実行する（ステップＳ４７）。
【００２４】
これにより光ディスク２２に記録されている番組と同じ時間帯を含むＨＤＤ１６に記録されている番組を示す情報のみが、ユーザがキーワード入力をすることなく表示され、ユーザは表示された番組を示す情報から簡単に、所望の番組を選択し複製又は移動をすることが可能となる。
＜実施例４＞
【００２５】
実施例４を図５のフローチャートを用いて説明する。
実施例１同様に、ユーザがＨＤＤ１６に記録済みの番組をディスクドライブ１８に装填された光ディスク２２にダビングなどをしようとすると、まず、光ディスク２２に記録されている番組のヘッダ情報から番組の関連情報である番組のタイトル名と放送時刻を自動的に取得する（ステップＳ５１）。次にＨＤＤ１６に記録されている番組の関連情報であるタイトル名と放送時刻を取得する（ステップＳ５２）。取得した情報のタイトル名同士を比較する（ステップＳ５３Ａ）。ステップＳ５３Ａで一致しない場合は、ステップＳ５４へ行く。ステップＳ５３Ａで一致する場合は、ステップＳ５３Ｂへ行き、放送時刻同士を比較し、一致しない場合は、ステップＳ５４へ行き、一致する場合は、ステップＳ５６へ行く。ステップＳ５４では、タイトル名が一致しない番組と、タイトル名は一致しているが、放送時刻が一致していない番組であって、ＨＤＤ１６に記録されている番組を示す情報の一覧を表示するための表示信号を生成して出力する。その後、ＨＤＤ１６に記録されているすべての番組の情報と比較するまで繰り返す（ステップＳ５５）。ユーザは、ユーザ操作部１２を操作して、表示された番組を示す情報の一覧から所望の番組を選択して複製、又は移動を実行する（ステップＳ３６）。なお、ステップＳ５３Ａでタイトル名が一致し、ステップＳ５３Ｂで放送時刻が一致する場合は、ステップＳ５４は実行されないので、タイトル名と放送時刻の双方が一致する番組を示す情報は表示されない。
【００２６】
これにより光ディスク２２に既に記録されている番組と同じ番組を除いた、ＨＤＤ１６に記録されている番組を示す情報のみがユーザに表示され、ユーザは表示された番組を示す情報から簡単に、所望の番組を選択し複製又は移動をすることが可能となる。
＜実施例５＞
【００２７】
実施例５を図６のフローチャートを用いて説明する。
実施例１同様に、ユーザがＨＤＤ１６に記録済みの番組をディスクドライブ装置１８に装填された光ディスク２２にダビングなどをしようとすると、まず、光ディスク２２に記録されている番組のヘッダ情報から番組の関連情報である放送時刻と放送曜日を自動的に取得する（ステップＳ６１）。次にＨＤＤ１６に記録されている番組の関連情報である放送時刻と放送曜日を取得する（ステップＳ６２）。取得した関連情報の放送時刻と放送曜日をそれぞれ比較し（ステップＳ６３、Ｓ６４）、両方ともに一致した番組でＨＤＤ１６に記録されている番組を示す情報の一覧を表示するための表示信号を生成して出力する（ステップＳ６５）。ＨＤＤ１６に記録されているすべての番組の情報と比較するまで繰り返す（ステップＳ６６）。ユーザは、ユーザ操作部１２を操作して、表示された番組を示す情報の一覧から所望の番組を選択して複製、又は移動を実行する（ステップＳ６７）。
【００２８】
これにより光ディスク２２に記録されている番組と同じ曜日と時間のＨＤＤ１６に記録されている番組を示す情報のみが、ユーザがキーワード入力をすることなく表示され、ユーザは表示された番組を示す情報から簡単に、所望の番組を選択し複製又は移動をすることが可能となる。
＜実施例６＞
【００２９】
実施例６を図７のフローチャートを用いて説明する。
実施例１同様に、ユーザがＨＤＤ１６に記録済みの番組をディスクドライブ装置１８に装填された光ディスク２２にダビングなどをしようとすると、まず、光ディスク２２に記録されている番組のヘッダ情報から番組の関連情報である放送時間帯（放送開始時刻と放送終了時刻により特定される）と放送曜日を自動的に取得する（ステップＳ７１）。次にＨＤＤ１６に記録されている番組の関連情報である放送時間帯と放送曜日を取得する（ステップＳ７２）。取得したＨＤＤ１６の放送時間帯を、例えば開始時刻は、その１時間前に、終了時刻は、その１時間後のものとして計算する（ステップＳ７３）。計算後のＨＤＤ１６の放送時間帯（拡大放送時間帯）と光ディスクから取得した放送時間帯を比較（ステップＳ７４）し、光ディスクの放送時間帯が計算して得られたＨＤＤ１６の放送時間帯に含まれる番組を検出し、さらに光ディスクの放送曜日とＨＤＤ１６の放送曜日を比較（ステップＳ７５）し、一致したＨＤＤ１６の番組を示す情報の一覧を表示するための表示信号を生成して出力する（ステップＳ７６）。ＨＤＤ１６に記録されているすべての番組の情報と比較するまで繰り返す（ステップＳ７７）。ユーザは、ユーザ操作部１２を操作して、表示された番組を示す情報の一覧から所望の番組を選択して複製、又は移動を実行する（ステップＳ７８）。
【００３０】
これにより光ディスク２２に記録されている番組と同じ曜日で、同じ時間帯を含むＨＤＤ１６に記録されている番組を示す情報のみが、ユーザがキーワード入力をすることなく表示され、ユーザは表示された番組を示す情報から簡単に、所望の番組を選択し複製又は移動をすることが可能となる。
【００３１】
上記各実施例は、前述のようにあらかじめＲＯＭに記憶してあるプログラムを読み出して、ＣＰＵに実行させることにより実現可能であるが、上記各実施例の中から所望の実施例を選択して使用することも可能である。その場合は、ダビング開始時などに、どの実施例のモードをユーザが希望しているのかをユーザに尋ねて、所望のモードをユーザが選択することにより、所定のプログラムが読み出されるようにすることができる。
【産業上の利用可能性】
【００３２】
以上説明したように、本発明の記録媒体装置は、２つの記録媒体に記録再生可能な記録再生装置において、ダビング時の検索が自動的に行われるので、従来の装置のようにユーザが自らキーワードを選定して検索する必要がなく、操作が容易でかつ確実な検索が可能となる。よって、本発明の記録再生装置は、２つの記録媒体に記録再生が可能な種々の記録再生装置の分野で利用可能である。
【図面の簡単な説明】
【００３３】
【図１】本発明の記録再生装置の好ましい実施の形態の構成を示すブロック図である。
【図２】図１の実施の形態における第１の動作モード（実施例１）を説明するための、処理のフローチャートである。
【図３】図１の実施の形態における第２の動作モード（実施例２）を説明するための、処理のフローチャートである。
【図４】図１の実施の形態における第３の動作モード（実施例３）を説明するための、処理のフローチャートである。
【図５】図１の実施の形態における第４の動作モード（実施例４）を説明するための、処理のフローチャートである。
【図６】図１の実施の形態における第５の動作モード（実施例５）を説明するための、処理のフローチャートである。
【図７】図１の実施の形態における第６の動作モード（実施例６）を説明するための、処理のフローチャートである。
【符号の説明】
【００３４】
１０  放送受信部  
１２  ユーザ操作部
１４  制御部（制御手段）
１４Ａ  番組情報管理部（比較手段）
１４Ｂ  表示管理部（表示信号出力部と共にコンテンツを示す情報を表示する信号を生成する手段を構成する）
１６  第１記録媒体（大容量番組保存部：ＨＤＤ）
１８  第２記録媒体ドライブ装置
２０  表示信号出力部
２２  第２記録媒体（着脱可能な番組保存部：光ディスク）
【図１】
2008257816.tif 000003
【図２】
2008257816.tif 000004
【図３】
2008257816.tif 000005
【図４】
2008257816.tif 000006
【図５】
2008257816.tif 000007
【図６】
2008257816.tif 000008
【図７】
2008257816.tif 000009